(57)【要約】【課題】  従来の技術では、バリアブルデータプリンティングに用いる画像データが、実際の印刷の際における解像度を考慮した上で、印刷に耐えうる画像か否かを確認することができない。【解決手段】  上記の課題を解決するために、本発明における情報処理装置は、可変領域に差し込まれる画像データを取得し、取得した前記可変領域に差し込む前のもとの画像データと前記可変領域に差し込むために拡縮された当該画像データとの拡縮比を算出し、算出された拡縮比に基づきチェック印刷を行うべき画像データを決定し、当該チェック印刷を行うべき画像データを前記可変領域に差し込むために拡縮した状態でチェック印刷するための印刷データを生成し、その生成された印刷データを送信することを特徴とする。【選択図】  図２
2008217060.tif 000002
【特許請求の範囲】
【請求項１】
可変領域を含むフォームデータと画像データとを用いて印刷を行うための情報処理装置であって、
前記可変領域に差し込まれる画像データを取得する取得手段と、
前記取得手段で取得した前記可変領域に差し込む前のもとの画像データと前記可変領域に差し込むために拡縮された当該画像データとの拡縮比を算出する算出手段と、
前記算出手段により算出された拡縮比に基づきチェック印刷を行うべき画像データを決定し、当該チェック印刷を行うべき画像データを前記可変領域に差し込むために拡縮した状態でチェック印刷するための印刷データを生成する生成手段と、
前記生成手段により生成された印刷データを送信する送信手段とを備えることを特徴とする情報処理装置。
【請求項２】
前記チェック印刷を行うべき画像データを決定するための拡縮比の閾値を設定する設定手段を備え、
前記生成手段は、前記設定手段により設定された閾値に基づきチェック印刷を行うべき画像データを決定することを特徴とする請求項１に記載の情報処理装置。
【請求項３】
前記設定手段は、当該画像データを前記拡縮比に基づきレベル分けを行うためのきざみ幅の設定を行い、
前記設定手段により設定された閾値ときざみ幅に基づき、前記画像データの中からチェック印刷を行うべき画像データの画像数と、各レベルに属する画像データの画像数を表示する表示手段を備えることを特徴とする請求項２に記載の情報処理装置。
【請求項４】
前記表示手段は、さらにチェック印刷条件を指定するための表示を行い、
前記生成手段は、前記表示手段に基づき指定されたチェック印刷条件に基づき印刷データを生成することを特徴とする請求項３に記載の情報処理装置。
【請求項５】
前記チェック印刷条件は、前記閾値に基づき決定された画像データ全てをチェック印刷、前記レベルごとの代表画像をチェック印刷、指定したレベルの画像をチェック印刷のいずれか、または全てを含むことを特徴とする請求項４に記載の情報処理装置。
【請求項６】
前記生成手段で生成された印刷データに基づくチェック印刷結果に応じたユーザから指示に基づき、
前記可変領域に差し込むために拡縮された画像データとデータベースに格納されているもとの画像データとの関連付けをもとに、データベースに格納されている画像データの修正または削除を行うことを指示する指示手段とを備えることを特徴とする請求項１乃至請求項５のいずれか１項に記載の情報処理装置。
【請求項７】
前記画像データに対して、推奨の拡縮比の情報を設定する推奨情報設定手段を備え、
前記生成手段は、前記設定手段で設定された推奨の拡縮比に基づいて可変領域に画像データを差し込んだ状態で印刷データの生成を行うことを特徴とする請求項１乃至請求項６のいずれか１項に記載の情報処理装置。
【請求項８】
可変領域を含むフォームデータと画像データとを用いて印刷を行うための情報処理装置における情報処理方法であって、
前記可変領域に差し込まれる画像データを取得する取得工程と、
前記取得工程で取得した前記可変領域に差し込む前のもとの画像データと前記可変領域に差し込むために拡縮された当該画像データとの拡縮比を算出する算出工程と、
前記拡縮比に基づきチェック印刷を行うべき画像データを決定し、当該チェック印刷を行うべき画像データを前記可変領域に差し込むために拡縮された状態でチェック印刷するための印刷データを生成する生成工程と、
前記印刷データを送信する送信工程とを備えることを特徴とする情報処理方法。
【請求項９】
前記チェック印刷を行うべき画像データを決定するための拡縮比の閾値を設定する設定工程を備え、
前記生成工程は、前記閾値に基づきチェック印刷を行うべき画像データを決定することを特徴とする請求項８に記載の情報処理方法。
【請求項１０】
前記設定工程は、当該画像データを前記拡縮比に基づきレベル分けを行うためのきざみ幅の設定を行い、
前記閾値と前記きざみ幅に基づき、前記画像データの中からチェック印刷を行うべき画像データの画像数と、各レベルに属する画像データの画像数を表示する表示工程を備えることを特徴とする請求項９に記載の情報処理方法。
【請求項１１】
前記表示工程は、さらにチェック印刷条件を指定するための表示を行い、
前記生成工程は、前記チェック印刷条件に基づき印刷データを生成することを特徴とする請求項１０に記載の情報処理方法。
【請求項１２】
前記チェック印刷条件は、前記閾値に基づき決定された画像データ全てをチェック印刷、前記レベルごとの代表画像をチェック印刷、指定したレベルの画像をチェック印刷のいずれか、または全てを含むことを特徴とする請求項１１に記載の情報処理方法。
【請求項１３】
前記印刷データに基づくチェック印刷結果に応じたユーザから指示に基づき、
前記可変領域に差し込むために拡縮された画像データとデータベースに格納されているもとの画像データとの関連付けをもとに、データベースに格納されている画像データの修正または削除を行うことを指示する指示工程とを備えることを特徴とする請求項８乃至請求項１２のいずれか１項に記載の情報処理方法。
【請求項１４】
前記画像データに対して、推奨の拡縮比の情報を設定する推奨情報設定工程を備え、
前記生成工程は、前記推奨の拡縮比に基づいて可変領域に画像データを差し込んだ状態で印刷データの生成を行うことを特徴とする請求項８乃至請求項１３のいずれか１項に記載の情報処理方法。
【請求項１５】
可変領域を含むフォームデータと画像データとを用いて印刷を行うための情報処理工程をコンピュータに実行させるためのプログラムであって、
前記可変領域に差し込まれる画像データを取得する取得工程と、
前記取得工程で取得した前記可変領域に差し込む前のもとの画像データと前記可変領域に差し込むために拡縮された当該画像データとの拡縮比を算出する算出工程と、
前記拡縮比に基づきチェック印刷を行うべき画像データを決定し、当該チェック印刷を行うべき画像データを前記可変領域に差し込むために拡縮された状態でチェック印刷するための印刷データを生成する生成工程と、
前記印刷データを送信する送信工程とを備えることを特徴とするプログラム。
【請求項１６】
可変領域を含むフォームデータと画像データとを用いて印刷を行うための情報処理工程をコンピュータに実行させるためのプログラムを格納したコンピュータが読み取り可能な記憶媒体であって、
前記可変領域に差し込まれる画像データを取得する取得工程と、
前記取得工程で取得した前記可変領域に差し込む前のもとの画像データと前記可変領域に差し込むために拡縮された当該画像データとの拡縮比を算出する算出工程と、
前記拡縮比に基づきチェック印刷を行うべき画像データを決定し、当該チェック印刷を行うべき画像データを前記可変領域に差し込むために拡縮された状態でチェック印刷するための印刷データを生成する生成工程と、
前記印刷データを送信する送信工程とを備えることを特徴とするプログラムを格納したコンピュータが読み取り可能な記憶媒体。
【請求項１７】
可変領域を含むフォームデータと画像データとを用いて印刷を行うための情報処理装置であって、
前記可変領域に差し込まれる画像データを取得する取得手段と、
前記取得手段で取得した前記可変領域に差し込む前のもとの画像データと前記可変領域に差し込むために拡縮された当該画像データとの拡縮比を算出する算出手段と、
前記算出手段により算出された拡縮比に基づき、前記可変領域に差し込むために拡縮された画像データと当該画像データごとの拡縮比とをチェック印刷するための印刷データを生成する生成手段と、
前記生成手段により生成された印刷データを送信する送信手段とを備えることを特徴とする情報処理装置。
【請求項１８】
可変領域を含むフォームデータを作成する作成手段と、
前記可変領域に流し込まれる画像データをデータベースから取得する取得手段と、
前記取得手段で取得した前記可変領域に差し込む前のもとの画像データと前記可変領域に差し込むために拡縮された当該画像データとの拡縮比を算出する算出手段と、
前記算出手段により算出された拡縮比に基づきチェック印刷を行うべき画像データを決定し、当該チェック印刷を行うべき画像データを前記可変領域に差し込むために拡縮された状態でチェック印刷する第１の印刷手段と、
前記チェック印刷の後の画像データと前記フォームデータとを用いての印刷を行う第２の印刷手段とを備えることを特徴とする印刷システム。
【発明の詳細な説明】
【技術分野】
【０００１】
本発明は、バリアブルデータプリンティングの画像出力による画像確認方法、および画像のデータベースを変更する情報処理システムに関する。
【背景技術】
【０００２】
近年、電子写真方式の印刷装置やインクジェット方式の印刷装置などの画像形成装置の高速化、高画質化に伴い、プリント・オン・デマンド（Ｐｒｉｎｔ  Ｏｎ  Ｄｅｍａｎｄ：以下、ＰＯＤと表記する）と呼ばれる市場がある。これは、比較的小ロットのジョブを大掛かりな画像形成装置を用いずに、電子データを用いたデジタルプリントを短納期で取り扱えることを実現する。このようなＰＯＤ市場では、従来の印刷業界に比べてデジタル化が融合し、コンピュータを利用した管理、制御が浸透してきており、コンピュータを利用してある程度、印刷業界のレベルに近づこうとしている。ＰＯＤ市場には、コピー・プリントショップ印刷会社の印刷サービスであるＰＦＰ（Ｐｒｉｎｔ  Ｆｏｒ  Ｐａｙ）や、企業内社内向け印刷サービスであるＣＲＤ（Ｃｅｎｔｒａｌｉｚｅｄ  Ｒｅｐｒｏｄｕｃｔｉｏｎ  Ｄｅｐａｒｔｍｅｎｔ）などが存在する。
【０００３】
また、ＰＯＤから派生し、デジタル画像形成装置の特徴を生かしたＶＤＰ（Ｖａｒｉａｂｌｅ  Ｄａｔａ  Ｐｒｉｎｔ）と呼ばれる手法がある。これは、データベース等にある情報にしたがって、プリントする内容をその都度変えることができるものである。例えば顧客情報にしたがって提供する商品情報を変えるダイレクトメールや、光熱費などの利用状況にしたがって数値を変える利用明細書等に利用することができる。そのため、ダイレクトメール作成等を行う市場において急速に利用が広まっている。
【０００４】
ＶＤＰシステムにおけるプリントデータをＶＤＰデータと呼ぶ。また、このＶＤＰデータの作成を行うアプリケーションを、ＶＤＰアプリケーションと呼ぶ。ＶＤＰアプリケーションは、ユーザに対しページレイアウトを行うユーザーインタフェースを提供する。ここで、通常の印刷レイアウトアプリケーションでは、ユーザはこのユーザーインタフェースの中で、文字や画像等の実際のオブジェクトを配置していく。しかし、ＶＤＰアプリケーションでは、これらのオブジェクトがデータベースに応じて変化する場合があるので、オブジェクトを配置する領域、すなわち、位置や大きさ、およびその領域の種別（文字、画像、グラフィック等）等を決定していく。これらの領域は、特に、データベースのレコードに応じてその内容が変化するものを「可変領域」と呼び、データベースのレコードに応じてその内容が変化しない領域を「固定領域」と呼ぶ。
【０００５】
可変領域は、データベースのレコードに応じてその内容が変化するように、データベースの各カラムを使った条件式を設定する。たとえば、データベースのあるレコードの「年齢」の値が２０〜２９であった場合は若い人向けの写真画像をその領域に配置し、６０以上であった場合は年配者向けの写真画像をその領域に配置するといった条件式を設定することができる。
【０００６】
以上のようにして、ＶＤＰアプリケーションは、ページ上の領域とデータベースを関連付けたＶＤＰデータを作成し、これをデジタル画像形成装置に送る。そして、ＶＤＰデータを受けとったデジタル画像形成装置が、ＶＤＰデータ内の関連付けにしたがってプリントを行う。
【０００７】
ＶＤＰアプリケーションでは、データベースの各レコード値に従って、プリント内容（文字、画像、グラフィック等）が変化するため、データベースのレコード数が多い場合、全てのレコードが正しく印刷されるかを確認することが難しい。
【０００８】
特に、ＶＤＰで使用される画像データは、例えばインターネットからダウンロードした画像や、スキャナでスキャンした画像や、デジカメで撮影した画像など、様々な手段によって取得されることが多い。そのため、ピクセルサイズにはばらつきが発生し、例えば、１番目の画像データは適切な品質で印刷されたとしても、２番目の画像データは解像度が低すぎて印刷品質が許容できないというような問題が生じる。前記のようなＶＤＰに使用する画像データの印刷品質を確認するには、実際に印刷してみるのが確実な方法ではある。しかし、膨大な数のレコードが存在する場合に、全てのＶＤＰデータを印刷してみるのは現実的ではない。また、ＶＤＰデータの場合、画像データのみを抽出してチェックしたい場合にも、他のフォームデータやテキストデータも一緒に印刷されてしまうため、チェックのための印刷には印刷媒体やトナーなどが多く必要となる。そして、使用する画像データが増えれば増えるほど、ユーザが印刷品質をチェックする時間と、印刷のためのコストがかかるという問題を抱えていた。
【０００９】
上記の課題について、特許文献１では、印刷データの印刷をするときに、印刷データの解析を行う。そして、その解析結果として適正な印刷を行うことができないと判断した場合には、その解析情報とそれに対応する詳細情報を表示し、印刷結果が荒くなる理由を知らせることができる。
【００１０】
特許文献２では、第一の画像合成モードと第二の画像合成モードを有し、第一の画像合成モードでは通常のバリアブルデータプリントを実行し、第二の画像合成モードではすべての可変情報とマスターデータとを合成して一枚の画像として出力する。これにより、バリアブルデータプリントで出力するすべて出力に問題がないかどうかを容易に確認できる方法が開示されている。
【特許文献１】特開２００５−３０１８８３号公報
【特許文献２】特開２００６−２３１６７６号公報
【発明の開示】
【発明が解決しようとする課題】
【００１１】
上述した特許文献１においては、バリアブルデータプリンティングに特有の、ＶＤＰアプリケーションによって複数の画像データが個々に変換された後の印刷結果の情報を得ることができない。その上、バリアブルデータプリンティング時に用いるであろう全ての画像データが所望の印刷結果を得られるか否かの十分な印刷品質の確認は行えない。
【００１２】
また、特許文献２においては、用いられる画像データが、バリアブルプリンティングの合成時にレイアウト不良になるか否かを判断することはできる。だが、バリアブルデータプリンティングに用いる画像データが、実際の印刷に耐えうる画像か否かを確認するため、さらにより良い手法が望まれる。
【００１３】
よって、本発明はプリンタでバリアブルデータを印刷する前に、バリアブルデータに用いる画像データの解像度を考慮した上で、実際に印刷した際の印刷品質を確認することができる印刷システムを提供することを目的とする。
【課題を解決するための手段】
【００１４】
上記の課題を解決するために、本発明における情報処理装置は、可変領域を含むフォームデータと画像データとを用いて印刷を行うための情報処理装置であって、前記可変領域に差し込まれる画像データを取得する取得手段と、前記取得手段で取得した前記可変領域に差し込む前のもとの画像データと前記可変領域に差し込むために拡縮された当該画像データとの拡縮比を算出する算出手段と、前記算出手段により算出された拡縮比に基づきチェック印刷を行うべき画像データを決定し、当該チェック印刷を行うべき画像データを前記可変領域に差し込むために拡縮した状態でチェック印刷するための印刷データを生成する生成手段と、前記生成手段により生成された印刷データを送信する送信手段とを備えることを特徴とする。
【発明の効果】
【００１５】
本発明により、プリンタでバリアブルデータを印刷する前に、バリアブルデータに用いる画像データの解像度を考慮した上で、実際に印刷した際の印刷品質を確認することができる。
【発明を実施するための最良の形態】
【００１６】
以下、本発明の実施の形態を図面に基づいて詳細に説明する。
【実施例】
【００１７】
図１は本発明におけるＶＤＰ（Ｖａｒｉａｂｌｅ  Ｄａｔａ  Ｐｒｉｎｔ））システムの構成例を示す図である。本実施例では、ＶＤＰシステムは、ＶＤＰデータのフォームやレイアウトを生成、編集する例えばＶＤＰアプリケーションとして実行するホストコンピュータ１０１やＶＤＰデータをチェックするためのＶＤＰデータチェックコンピュータ１０９などを含む。また、システムには、ＶＤＰデータの用いる画像データを保持するデータベースサーバ１０６や、印刷するＶＤＰデータを保持するためのファイルサーバ１０７も含まれる。１１０、１１４はプリントサーバであり、ホストコンピュータ１０１やＶＤＰデータチェックコンピュータ１０９からの印刷データを受け取り、プリンタ１１２・１１６に送信し印刷などの処理を制御する。特に、プリンタ１１６は、ＶＤＰデータの印刷結果や画像データの解像度などのチェックを行う際のチェック用のプレビュー印刷などを行うためのプリンタとして本実施例では用いられる。
【００１８】
ここで、本発明においては、２つの情報処理装置（パーソナルコンピュータ：ＰＣ）でＶＤＰデータの作成とチェックを行っているが、全て１つのＰＣで実装されてもよい。また、外部に出たベースサーバやファイルサーバを設けることで、画像データなどを管理しているが、ＰＣ内で管理してもよい。更に、プリントサーバを介さずＰＣからＶＤＰデータを印刷するための印刷データを直接送信することも可能であり、更には、プリンタも１台のプリンタでプレビューなどのチェックと実際の印刷を行ってもよい。また、プリンタは、複写機や複合機など印刷機能をもつものであれば何れも本発明を適用可能である。
【００１９】
図１５は、図１に示したホストコンピュータ１０１やＶＤＰデータチェックコンピュータ１０９やプリントサーバなどの情報処理装置におけるハードウエア構成を示すブロック図である。
【００２０】
図１５において、ＣＰＵ１５０１、ＲＡＭ１５０２、ＲＯＭ１５０３、キーボード等の入力装置１５０４、ＮｅｔｗｏｒｋＩ／Ｆ１５０５、ハードディスクドライブ（ＨＤＤ）１５０６がシステムバス２１０を介して互いに通信可能に接続されている。また、ＣＲＴ等の表示装置１５０７、及びマウス等のポインティングデバイス１５０８が、システムバス１５１０を介して互いに通信可能に接続されている。ＲＯＭ１５０３或いはＨＤＤ１５０６には、予め制御プログラムが格納されている。ＣＰＵ１５０１は、当該制御プログラムを必要に応じてＲＯＭ１５０３或いはＨＤＤ１５０６からＲＡＭ３０２上へ読み出して実行することで、コンピュータとしての機能を発揮する。また、ＣＰＵ１５０１は、表示装置１５０７を介して各種情報の表示を行うと共に、入力装置１５０４やポインティングデバイス１５０８からユーザ指示等を受け付ける。さらに、ＮｅｔｗｏｒｋＩ／Ｆ１５０５を介してＬＡＮなどのネットワーク上の他装置との通信を行う。
【００２１】
図１６は、ホストコンピュータ１０１、ＶＤＰデータチェックコンピュータ１０９におけるソフトウェアモジュールの構成を示す図である。
【００２２】
ホストコンピュータ１０１は、ＶＤＰデータに用いるフォームを作成するフォーム作成部１６０１、作成されたフォームなどをもとにＶＤＰデータを生成、編集するためのＶＤＰデータ作成部１６０２を含む。また、データ送受信部１６０３は、ＶＤＰデータをＶＤＰデータチェックコンピュータ１０９、ファイルサーバやプリントサーバなどと送受信したり、データベースサーバと画像データの送受信をしたりする。画像データ抽出部１６０４は、データ送受信部１６０３を介してデータベースサーバなどより画像データを取得し、また管理を行う。
【００２３】
ＶＤＰデータチェックコンピュータ１０９は、ＶＤＰデータのプレビューなどのチェックを行うためのＶＤＰデータ検査部１６０５やＶＤＰデータや画像データなどの編集、修正をおこなうＶＤＰデータ修正部１６０６を備える。また、外部とＶＤＰデータや画像データの送受信を行うデータ送受信部１６０７を備える。
【００２４】
図２は、図１のシステムを使用したバリアブルデータプリンティングを行う、本実施例におけるＶＤＰデータの印刷に至るまでの処理を示すフローチャートである。
【００２５】
まず、フォーム作成部１６０１でフォームデータを作成する（ステップ２０１）。なお、フォーム作成する際のフォームデザインツールは、本実施例においてＶＤＰデータを扱うアプリケーションが対応するフォーマットのファイルを出力するものであれば特に限定されない。次に、画像データ抽出部１６０４はデータベースサーバ１０６の画像データを取得する（ステップ２０２）。次に、ＶＤＰデータ生成部１６０２が、ステップ２０１で作成したフォームデータの各差込フィールド（可変領域）にデータソースを割り当て、ステップ２０２で取得した画像データを差し込んでＶＤＰデータを作成する（ステップ２０３）。データベースサーバ１０５には、例えばインターネットからダウンロードした画像や、スキャナでスキャンした画像や、ユーザがデジタルカメラで撮影した画像など、様々な手段で取得された画像データが含まれる。画像データを取得する時点において、データベースサーバ１０５には様々な画像データを含み、ピクセルサイズや画像の保存形式、劣化度合いなどばらつきがあることが多い。
【００２６】
ステップ２０３で作成されたＶＤＰデータは、データ送受信部１６０３及びネットワークを介してファイルサーバ１０７に格納される（ステップ２０４）。このとき、先ほど画像データ抽出部１６０４が取得した画像データを、ファイルサーバ１０７のＶＤＰデータとともに同梱する。そして、同時にファイルサーバに同梱する画像データと、データベースサーバ１０５にある画像データとの関連付けを行う。この関連付けは、各画像データにＩＤをつけて、データ間の関連付けを行ってもよい。
【００２７】
その後、ＶＤＰデータチェックコンピュータ１０９のＶＤＰデータ検査部１６０５がＶＤＰデータに対して検査を行う（ステップ２０５）。検査に対して、ユーザからの品質確認結果を取得する。この取得結果によりＶＤＰデータ（もしくはデータベースサーバ１０６における後述する検査対象画像データ）の品質が承認されたか否かを判断する。ここで品質が承認されなかったと判断した場合、ステップ２０７に遷移する。ここで品質が承認されたと判断した場合、ステップ２０８に遷移する。次に、ＶＤＰデータ修正部１６０６がＶＤＰデータや画像データの修正を行う（ステップ２０７）。ＶＤＰデータチェックコンピュータ１０９はプリントサーバを介してチェック印刷の行うプリンタ１１６にＶＤＰデータの印刷データを送信する。これにより、ＶＤＰデータの検査するための、画像データのプレビュー印刷やＶＤＰデータの試し印刷などの印刷処理を行うことが可能となる。本実施例においては、ユーザの指示により、ステップ２０６のＶＤＰデータや画像データの修正を行った後、再びステップ２０５に戻りＶＤＰデータの検査を行う。また、修正を行わず検査後、直接印刷する形態であってもよい。
【００２８】
最終的に、ステップ２０５、２０７で検査・修正を行ったＶＤＰデータをプリントサーバ１１０に送信する。プリントサーバ１１０は、プリンタ１１２とネットワークで接続されており、外部のＰＣより受信するＶＤＰデータをプリンタ１１２に印刷、出力させる（ステップ２０８）。
【００２９】
以上説明したように、本実施例では、ＶＤＰデータを作成し、チェック印刷用のプリンタ１１６でＶＤＰデータに用いる画像データを一覧印刷するなどして、実際のＶＤＰデータの印刷を行う前にデータの検査処理を実行する。
【００３０】
次に、図２のステップ２０３のＶＤＰデータ作成について詳細に説明する。本実施例におけるＶＤＰアプリケーションとは、少なくともＶＤＰデータ作成部１６０２を含むようなものであればよい。また、ＶＤＰアプリケーションは、様々な機能やユーザーインタフェースを持つものがありここで説明するものは一例である。
【００３１】
図３は、ＶＤＰデータ作成部１６０２がＶＤＰデータを編集する際に表示するユーザーインタフェース（ＵＩ）の画面をあらわしたものである。この編集画面には、編集エリア３０１上にドキュメントの境界を示すドキュメントエリア３０２があり、ユーザはこのドキュメントエリア内にオブジェクトを配置してＶＤＰデータを作成する。
【００３２】
図３では、オブジェクトが４つ配置されている。３０３、３０４は可変領域であり、それぞれ流し込まれるテキストや画像データなどが変化する部分である。この可変領域に流し込まれるデータを可変データとする。可変領域では例えばデータベースサーバなどから取得する実データ（画像やテキスト）は編集画面上に登場せず、その流し込まれる領域の位置だけがわかるように表示される。３０５、３０６は固定領域であり、常に同じオブジェクトが適用される。そのため、編集画面上でも実データ（画像やテキスト）が配置された状態で表示される。
【００３３】
通常のＤＴＰ（ＤｅｓｋＴｏｐ  Ｐｕｂｌｉｓｈｉｎｇ）アプリケーションとの違いとして特徴的なのは、可変領域があることである。また、可変領域は、データベースに格納されたデータに応じてそのオブジェクト（画像データなど）が流し込まれるように、固有情報を持っている。固有情報は、主にそのオブジェクトの属性（テキスト、画像、グラフィック）と、データベースとの関係をあらわす条件等で構成される。条件とは、たとえば、可変領域３０４はデータベース中のカラム「画像ファイル名」に記述されているファイル名の画像が配置される領域である場合、これを示すための情報である。図３では、例えば実際の図面が流し込まれた場合の画像例を示している。
【００３４】
次に、図２のステップ２０５のＶＤＰデータ検査部が行うＶＤＰデータの検査について説明する。図４は、本発明のＶＤＰデータ検査処理を実現するためのプログラムに基づくフローチャートを示す図である。
【００３５】
まず、ステップ４０１において、ユーザにより図５で示すような表示画面から設定される初期の拡縮比の閾値と、検出きざみ幅を取得する。ここで拡縮比とは、データベースサーバ１０６に格納されている画像データのピクセルサイズと、ファイルサーバ１０７においてＶＤＰデータに同梱された画像データとのピクセルサイズの変化の割合を計算した値とする。すなわち、（拡縮比）＝（データベースサーバ１０６に格納されている画像データのピクセルサイズ）÷（ＶＤＰデータを作成する際に変換された印刷時の画像データのピクセルサイズ）を示す。拡縮比が１のときは、拡大または縮小なくもとの画像データのまま印刷される。一方、拡縮比が小さくなればなるほど、印刷で要求される画像データのピクセルサイズが大きいにもかかわらず、元の画像データのピクセルサイズが小さいということになる。こういった場合、ユーザが許容できない印刷品質の悪い印刷出力になる可能性が高い。拡縮比の閾値ときざみ幅については後述する。
【００３６】
ステップ４０２で、ＶＤＰデータに同梱される画像データをデータベースサーバ１０６から検索し、抽出する。ステップ４０３で、ＶＤＰデータに同梱されている画像データと対応するデータベースサーバ１０６に格納されている画像データとの拡縮比を算出する。
【００３７】
ステップ４０４で、ステップ４０１で取得した閾値に満たない拡縮比である画像データが存在するか否かを判断する。閾値に満たない画像データが存在すると判断された場合には、ステップ４０５に遷移する。閾値に満たない画像データが存在しないと判断された場合には、検査を終了する。
【００３８】
ステップ４０５で、ステップ４０１において設定した閾値とステップ４０３で計算した拡縮比とを比較し、閾値未満のＶＤＰデータに同梱されている画像データを検出、抽出する。ステップ４０６で、ステップ４０５において抽出した画像データに、ステップ４０１で取得したきざみ幅に基づきレベルを付与する。次いで、ステップ４０７で、図６で示すような検査結果の表示画面（ＵＩ）を表示指示する。図６で示す「検査結果表示パネル」では、画像数６０１はステップ４０５で抽出した画像データの総数を表示し、ステップ４０１で取得したきざみ幅に基づくレベルごとのそのレベルに属する画像データの数が６０２で表示される。また、リスト作成６０３、チェック印刷６０４をマウスなどによりＵＩ上で押下されることで、それぞれの処理が指示される。
【００３９】
ステップ４０８で拡縮比が閾値に満たない画像データをチェック印刷が指示されたか否かを判定する。ステップ４０８でチェック印刷が指示されたと判断した場合には、ステップ４０９でチェック印刷を行う。チェック印刷については後述する。
【００４０】
ステップ４０８で印刷指示されなかったと判断した場合には、ステップ４１０で拡縮比が閾値に満たない画像データのリスト作成を指示されたか否かの判断を行い、リスト作成を指示されたと判断した場合には、ステップ４１１でリストを出力する。リスト作成を指示されなかった判断した場合には、検査処理を終了する。
【００４１】
ステップ４０１で設定する閾値ときざみ幅について説明する。図５は、「画像検出閾値設定」を行う設定画面であり、ユーザが拡縮比の閾値と検出きざみ幅を設定する具体例を示す図である。閾値は、バリアブルデータプリンティング時に印刷品質として最低限必要とする画像データの拡縮比を、ユーザが設定する。きざみ幅は、拡縮比が閾値未満と判定されたＶＤＰデータに同梱された画像データに対してレベルを付与すための範囲の幅を指定する。ユーザは図５の画像検出閾値設定パネル上で、閾値として５０１に０〜１００％までの閾値を設定し、きざみ幅として５０２に０〜１００までの値を設定する。きざみ幅は閾値以下の値である必要がある。
【００４２】
たとえば、印刷に使用するデータベースサーバ１０６に格納されている画像データのピクセルサイズが（１００，１００）ピクセルとする。また、ユーザが閾値を５０％、レベル分けを１０％きざみに設定したとする。このとき、ＶＤＰアプリケーションで変換され、印刷される際の画像データのピクセルサイズが（４００，４００）ピクセルになる場合、ピクセルサイズの拡縮比は６．２５％になる。
【００４３】
レベル５が０〜１０％、レベル４が１１〜２０％というように５０％まで１０％きざみにレベル１までレベル分けされる。レベルの高い方が元の画像データと印刷データとの差が大きい（印刷品質が悪いと予想される）画像データとなる。ここでは、拡縮比が６．２５％の画像データはレベル５と設定される。
【００４４】
また、ステップ４０９で行われるチェック印刷について詳細に説明する。
【００４５】
本発明におけるチェック印刷とは、データベースから取得した画像データを、実際にフォームデータに差し込まれる状態で検査のため印刷を行うことである。これにより、実際の印刷時の画像品質確認をするための機会をユーザに提供することできる。
【００４６】
図７は、チェック印刷処理を実現するプログラムに基づくフローチャートを示す図である。また、図８は「チェック印刷設定パネル」の具体例を示す図であり、ユーザに対してこのようなＵＩ画面を提供することで、チェック印刷時の設定変更などを可能とする。ユーザにより図６の「検査結果表示パネル」で６０４のチェック印刷が指示されたことを検出すると、図８の「チェック印刷設定パネル」を表示する（Ｓ７０１）。この表示ＵＩ画面上でチェック印刷対象の画像データの総数８０１と各レベルの画像データの総数８０２を確認することができる。
【００４７】
まず、ステップ７０２で、ユーザにより指定されるチェック印刷を行う範囲についての情報を取得する。
【００４８】
ステップ７０３において、ステップ７０２で取得した情報が、前述のユーザが設定した閾値に満たない画像データの「すべて印刷」を示す情報であるか否かを判断する。ステップ７０３で「すべて印刷」を示す情報であると判断した場合、ステップ７０４に遷移する。ステップ７０４では、前述のユーザが設定した閾値に満たない画像データすべてを一覧で印刷出力されるように印刷データを生成する。ステップ７０３で「すべて印刷」を示す情報ではないと判断した場合、ステップ７０５に遷移する。
【００４９】
ステップ７０５において、ステップ７０２で取得した情報が「レベルごとの代表画像を印刷」を示す情報であるか否かを判断する。ステップ７０５で「レベルごとの代表画像を印刷」を示す情報であると判断した場合、ステップ７０６において、各レベルの代表画像を一覧で印刷出力されるように印刷データを生成する。代表画像の選出については後述する。ステップ７０５で「レベルごとの代表画像を印刷」を示す情報ではないと判断した場合、ステップ７０７に遷移する。
【００５０】
ステップ７０７において、ステップ７０２で取得した情報が「指定レベルの画像を印刷」を示す情報を含むか否かを判断する。ステップ７０７で「指定レベルの画像を印刷」を示す情報であると判断した場合、ステップ７０８において、ステップ７０２で取得した情報に含まれる指定レベル情報と印刷枚数情報を取得する。指定レベル情報と印刷画像数情報は、図８において、ユーザが指定したチェック印刷を行う印刷レベル、指定したレベルにおける印刷する画像数に基づく情報である。これにより、指定レベル内の指定数の画像データが一覧で印刷されることになる。その後、ステップ７０９では、指定された画像データを含むような印刷データを生成する。ステップ７０７で「指定レベルの画像を印刷」を示す情報ではないと判断した場合、チェック印刷がキャンセルされたと判断し、チェック印刷処理を終了する。
【００５１】
ステップ７１０では、ステップ７０４、７０６、７０９で生成された印刷データをプリントサーバに送信し、その後チェック印刷用のプリンタ１１６において最終的に印刷、出力される。
【００５２】
その後、ユーザに対して更にチェック印刷を行うかどうかを確認するためのＵＩ画面（不図示）を提供し、ユーザから再びチェック印刷を行うことを指示されたことを検出した場合、ステップ７０１に戻る。ユーザから再びチェック印刷を行うことを指示されたことを検出しなかった場合は、ステップ７１１に遷移する。
【００５３】
次に、ステップ７０６でチェック印刷の印刷品質を見て、印刷品質がユーザの求める印刷品質に対して適切か否かをチェックする。チェック印刷の品質が、ユーザの要求する品質である場合には、ＶＤＰデータのチェック印刷を終了する。印刷品質が適切ではない場合には、条件を変更して印刷を行うことができる。以上により、ユーザにとって必要最低限の画像データの印刷で、印刷品質のチェックを行うことができる。
【００５４】
なお、「チェック印刷設定パネル」は閉じるまではオープンされている状態で維持し、ユーザは続けて、指定するレベルを変更して再チェック印刷するといった形態であってもよい。また、レベル別の印刷を行った後ですべて印刷を選択することもできる。
【００５５】
ステップ７０２で取得する情報に対応する、印刷を行う範囲の指定は、図８の“チェック印刷条件選択“８０３で行うことができる。例えば、図８の“検出された画像数“８０１が、ユーザにとって目視チェック可能な数であれば、「すべて印刷」を選択することで、ユーザが設定した閾値に満たない画像データ全てを一覧で印刷し、画像データの出力結果の印刷品質を確認することができる。
【００５６】
一方、ユーザは「レベルごとの代表画像を印刷」を選択することで、各レベルから１枚ずつ自動的に選出される代表画像を一覧として印刷し、確認することができる。ここで、代表画像は、各レベルでもっとも拡縮比が小さい（画像の品質が悪いと予想される）画像を選出する。これにより、各レベルで保証されるであろう画像の品質の目安をユーザに提供できる。ここで、代表画像はそのレベルで拡縮比が最も大きいものを選出しても、ユーザにとっては各レベルにおける最高画像品質の確認のための画像一覧を提供することができるので、実施環境に応じて選択するものであってもよい。
【００５７】
また、ユーザは「指定レベルの画像を印刷」を選択することで、指定されたレベル内の画像データが一覧でチェック印刷され、指定レベルの画像の品質を確認することができる。
【００５８】
図９は、チェック印刷の結果の一例の図である。ここで、図９は、各レベルにおける代表画像を一覧でチェック印刷した場合の図を示す。
【００５９】
ＶＤＰに使用される画像データを、ＶＤＰアプリケーションによって変換された後の印刷時の大きさで、一覧で印刷する。チェック印刷結果には、ユーザが指定した閾値ときざみ幅で設定されるレベル、ファイル名、閾値、拡縮比情報、画像データが印刷される。ユーザはチェック印刷の画像の印刷品質を見て、許容できる印刷品質の画像を探し、その拡縮比情報（ｒａｔｅ）を見る。前述の許容できる拡縮比を次のチェック印刷時に設定する閾値とし、再度チェック印刷することにより、更に印刷品質を詳細に確認することができる。
【００６０】
全ての画像データをチェック印刷する場合も同様に、ＶＤＰアプリケーションによって変換された後の印刷時の大きさで、一覧で印刷する。チェック印刷結果には、ユーザが指定した閾値ときざみ幅で設定されるレベル、ファイル名、閾値、拡縮比情報なども同時に印刷される。全画像データの品質を詳細にチェックできる上に、実際の出力結果を参考に再度、チェック印刷を繰り返す場合の閾値設定の参考情報として、ユーザにとって有益な情報を提供できる。
【００６１】
指定したレベルに属する画像データをチェック印刷する場合も同様に、ＶＤＰアプリケーションによって変換された後の印刷時の大きさで、一覧で印刷する。
【００６２】
チェック印刷結果を見て、印刷品質が適正でない場合には、拡縮比が閾値よりも小さい画像（品質が悪い画像）をリストアップする。この際に、リストアップされた画像データに対する修正・削除など編集を行い、データベースサーバ１０６の更新・メンテナンスを行うことにもチェック印刷は用いることができる。
【００６３】
なお、ユーザが設定する閾値は、最初は適当な値でよく、チェック印刷結果により閾値として適正な値を取得することができる。あるいは、上述の作業を繰り返すことにより、バリアブルデータプリンティングが必要とする適正な閾値が求まる。プリンタが同じバリアブルデータプリンティングを行う場合には、前回行ったバリアブルデータプリンティングの閾値を保持しておくことにより、ユーザは最初から適正な閾値を設定できる。これにより、データベースサーバ上の画像データのメンテナンスを一定基準で運用できる。また、ユーザは閾値の設定、チェック印刷、チェック印刷結果の確認を繰り返し行うことにより、バリアブルデータプリンティングにおける、印刷品質と閾値との適正か否かを確認することができる。
【００６４】
図１０は図６の検査結果表示パネルで６０３のリスト作成を選択した際に起動される「リスト作成」ウィンドウ（ＵＩ画面）の具体例を示す図である。この「リスト作成」パネルで、図４のステップ４０１でユーザが設定した閾値に満たない画像データをリスト（外部ファイル）として保存する設定を行う。
【００６５】
リストに記載される項目は、リスト作成ウィンドウ上段の１００１のチェックボックスで選択する。デフォルトは全てにチェックがされており、「画像を識別するＩＤもしくはファイル名」「画像ピクセルサイズ」「ｒａｔｅ［％］」「画像データへのリンク」などが記述される。実際に出力されるリストにはこの他に、ユーザが選択した「リスト作成時の閾値」「拡縮比」も記載される。
【００６６】
ウィンドウの下段では、リストを選択した後の動作について選択ができる。１００２の「何もしない」がデフォルトであり、実行すると、保存フォルダ名、リスト名称をユーザに対して問い合わせるパネルが表示される。フォルダとファイル名を指定して保存すると、指定したフォルダにリストが作成される。保存形式としては、例えばＸＭＬで、画像データの実体も同じフォルダにコピーすることにより、ＸＭＬからのリンクを有効にする。
【００６７】
図１１は、リストをＸＭＬ形式で保存したときの、ＸＭＬファイルの中身を示した図である。このＸＭＬファイルはＸＳＬＴなどを用いて、図１２のようなリストを作成することができる。ＸＳＬＴとは、ＸＳＬ文書を利用して，ＸＭＬ文書をＨＴＭＬ形式に変換するプロセッサである。なお、保存形式はＸＭＬにこだわるものではなく、表計算ソフトアプリケーションによってリストを作成し保存する形式や単なるテキストファイル形式でもよい。１００３の“指定プログラムを実行する”は、作成したリストを表示せず、そのままメールで送信したり、保存したりするプログラムを想定している。
【００６８】
たとえば、データベースサーバ１０６の変更を行いたい場合には、図１２において修正を行いたいファイルのＬｉｎｋをクリックすることにより、ＸＭＬに関連づけられたＸＳＬＴをつかってデータベースを修正するためのアプリケーションを呼び出す。図１３は、図１２において、あるファイルのＬｉｎｋ名をクリックして呼び出される、データベース修正アプリケーションの具体例である。
【００６９】
少なくともＶＤＰデータ修正部１６０６を含むデータベース修正アプリケーションは、データベースサーバ１０６の画像データの拡縮比、ピクセルサイズなどの初期値をウィンドウに表示する。ユーザは画像データのピクセルサイズ、拡縮比などの項目（１３０１）について、値を自由に設定することができる。ユーザは値を変更した後、新規保存ボタン（１３０２）または更新ボタン（１３０３）をクリックする。すると画像データとしてデータベースサーバ１０６に画像と推奨の拡縮比などを保存したり、あるいはデータベース内の画像データと推奨の拡縮比などを更新したりすることができる。
【００７０】
あるいは、図１４のように、データベース内の画像を一括修正できるアプリケーションを呼び出して、推奨ピクセルサイズ、推奨拡縮比（１４０１）で全ての画像データに対して、新規保存（１４０２）・更新（１４０３）したりすることもできる。このとき、推奨ピクセルサイズと推奨拡縮比は、画像ごとに異なるので、画像をチェックボックスあるいはプルダウンで選択し、選択した画像のみを推奨ピクセルサイズと推奨拡縮比で新規保存・更新する機能を与えることも可能である。
【００７１】
このように画像データに対して、拡縮比やピクセルサイズの推奨情報設定を画像データに行うことは、次回のバリアブルデータの印刷に有効である。例えば、ユーザがチェック印刷を行ったときに、どうしても使用したい画像が、可変領域に差し込まれた際に劣化が著しい場合がある。この際、ユーザの行う操作としては、フォームデータを編集しなおすことが考えられる。しかしながら、フォームデータの変更はした際は、その変更後のフォームデータに差し込んだ場合の画像データの印刷状態を確かめるため、もう一度チェック印刷を行う必要が出てくる。よって、このように画像データ自体に推奨情報としての拡縮比などの情報を設定し、印刷時にその情報を元に可変領域内に差し込んで印刷を行うことで、可変領域に流し込む際に領域のサイズと一致しないが、適正な印刷品質でバリアブル印刷を行える。
【００７２】
次に、ステップ２０７のＶＤＰデータ修正について説明する。ユーザは、チェック印刷で印刷品質を確認した結果、画像データの修正が必要であると判断した場合には、データベースサーバ１０６の画像の修正を行う。また、ユーザは図４のステップ４１１で作成したリストを利用して、画像データの変更をするか、ピクセルサイズの変更を行うかなどの判断をすることもできる。ＶＤＰデータ修正部１６０６がユーザの修正指示を受けると、データベースサーバ１０６に対して編集したい画像データを検索する。ユーザによる画像データの指定は、レベル指定、画像ＩＤやファイル名指定、拡縮比（ｒａｔｅ）指定などが行える。ここで指定された画像データをＶＤＰデータ修正部１６０６がデータベースサーバ１０６より、収集・取得し、ユーザに対して画面に表示するなどして提供する。ユーザは、取得された画像に対して、差し替え、画像処理などを加え再登録を行ったり、削除を行ったりすることが可能となる。
【００７３】
［他の実施例］
以上、様々な実施形態を詳述したが、本発明は、複数の機器から構成されるシステムに適用してもよいし、また、一つの機器からなる装置に適用してもよい。例えば、プリンタ、ファクシミリ、ＰＣ、サーバとクライアントとを含むコンピュータシステムなどの如くである。
【００７４】
本発明は、前述した実施形態の各機能を実現するソフトウェアプログラムを、システム若しくは装置に対して直接または遠隔から供給し、そのシステム等に含まれるコンピュータが該供給されたプログラムコードを読み出して実行することによっても達成される。
【００７５】
従って、本発明の機能・処理をコンピュータで実現するために、該コンピュータにインストールされるプログラムコード自体も本発明を実現するものである。つまり、上記機能・処理を実現するためのコンピュータプログラム自体も本発明の一つである。
【００７６】
その場合、プログラムの機能を有していれば、オブジェクトコード、インタプリタにより実行されるプログラム、ＯＳに供給するスクリプトデータ等、プログラムの形態を問わない。
【００７７】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、記録媒体としては、磁気テープ、不揮発性のメモリカード、ＲＯＭ、ＤＶＤ（ＤＶＤ−ＲＯＭ，ＤＶＤ−Ｒ）などもある。
【００７８】
また、プログラムは、クライアントコンピュータのブラウザを用いてインターネットのホームページからダウンロードしてもよい。すなわち、該ホームページから本発明のコンピュータプログラムそのもの、もしくは圧縮され自動インストール機能を含むファイルをハードディスク等の記録媒体にダウンロードしてもよいのである。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の構成要件となる場合がある。
【００７９】
また、本発明のプログラムを暗号化してＣＤ−ＲＯＭ等の記憶媒体に格納してユーザに配布してもよい。この場合、所定条件をクリアしたユーザにのみ、インターネットを介してホームページから暗号化を解く鍵情報をダウンロードさせ、その鍵情報で暗号化されたプログラムを復号して実行し、プログラムをコンピュータにインストールしてもよい。
【００８０】
また、コンピュータが、読み出したプログラムを実行することによって、前述した実施形態の機能が実現されてもよい。なお、そのプログラムの指示に基づき、コンピュータ上で稼動しているＯＳなどが、実際の処理の一部または全部を行ってもよい。もちろん、この場合も、前述した実施形態の機能が実現され得る。
【００８１】
さらに、記録媒体から読み出されたプログラムが、コンピュータに挿入された機能拡張ボードやコンピュータに接続された機能拡張ユニットに備わるメモリに書き込まれてもよい。そのプログラムの指示に基づき、その機能拡張ボードや機能拡張ユニットに備わるＣＰＵなどが実際の処理の一部または全部を行ってもよい。このようにして、前述した実施形態の機能が実現されることもある。
【図面の簡単な説明】
【００８２】
【図１】本発明におけるＶＤＰ（Ｖａｒｉａｂｌｅ  Ｄａｔａ  Ｐｒｉｎｔ））システムの構成例を示す図である。
【図２】図１のシステムを使用したバリアブルデータプリンティングを行う、本実施例におけるＶＤＰデータの印刷に至るまでの処理を示すフローチャートである。
【図３】ＶＤＰデータ作成部１６０２がＶＤＰデータを編集する際に表示するユーザーインタフェース（ＵＩ）の画面例を示す図である。
【図４】本発明のＶＤＰデータ検査処理を実現するためのプログラムに基づくフローチャートを示す図である。
【図５】実施例における、閾値ときざみ幅の値を設定するための画像検出閾値設定パネルを示す図である。
【図６】実施例における、検査結果の表示画面を示す図である。
【図７】実施例における、チェック印刷処理を実現するプログラムに基づくフローチャートを示す図である。
【図８】実施例における、チェック印刷対象の画像データの総数８０１と各レベルの画像データの総数８０２を確認するためのチェック印刷設定パネルの一例を示す図である。
【図９】実施例における、チェック印刷の結果の一例として、各レベルにおける代表画像を一覧でチェック印刷した結果を示す図である。
【図１０】実施例における、図６の検査結果表示パネルでリスト作成６０３を選択した際に起動される「リスト作成」ウィンドウ（ＵＩ画面）の具体例を示す図である。
【図１１】実施例における、リストをＸＭＬ形式で保存したときの、ＸＭＬファイルの中身を示した図である。
【図１２】実施例における、図１１で示すＸＭＬファイルからＸＳＬＴなどを用いて作成したリストを示す図である。
【図１３】実施例における、図１２において、あるファイルのＬｉｎｋ名をクリックして呼び出される、データベース修正アプリケーションの設定画面の一例を示す図である。
【図１４】実施例における、データベース内の画像を一括修正できるアプリケーションにおける設定表示画面の一例を示す図である。
【図１５】実施例における、図１に示したホストコンピュータ１０１やＶＤＰデータチェックコンピュータ１０９やプリントサーバなどのＰＣにおけるハードウエア構成を示すブロック図である。
【図１６】実施例における、ホストコンピュータ１０１、ＶＤＰデータチェックコンピュータ１０９におけるソフトウェアモジュールの構成を示す図である。
【符号の説明】
【００８３】
１０１  ホストコンピュータ
１０６  データベースサーバ
１０７  ファイルサーバ
１０９  ＶＤＰデータチェックコンピュータ
１６０１  フォーム作成部
１６０２  ＶＤＰデータ作成部
１６０４  画像データ抽出部
１６０５  ＶＤＰデータ検査部
１６０６  ＶＤＰデータ修正部
【図１】
2008217060.tif 000003
【図２】
2008217060.tif 000004
【図３】
2008217060.tif 000005
【図４】
2008217060.tif 000006
【図５】
2008217060.tif 000007
【図６】
2008217060.tif 000008
【図７】
2008217060.tif 000009
【図８】
2008217060.tif 000010
【図９】
2008217060.tif 000011
【図１０】
2008217060.tif 000012
【図１１】
2008217060.tif 000013
【図１２】
2008217060.tif 000014
【図１３】
2008217060.tif 000015
【図１４】
2008217060.tif 000016
【図１５】
2008217060.tif 000017
【図１６】
2008217060.tif 000018